(57)【要約】【課題】掛け持ち遊技や放置行為を有効に防止して遊技機の稼働率向上に寄与するとともに店員の負担を軽減する。【解決手段】受皿２０の底部をローラコンベア２２で構成する。ローラコンベア２２の下流側は、メダル貸し機の下方部に設けられた放置物回収スペース２５の回収口１１ａまで延長されている。放置物回収スペース２５には、ローラコンベア２２で搬送されてきたタバコ２４を載せるトレー３５が設けられている。スロットマシンの非遊技時間が一定時間以上になると、受皿２０に放置されたタバコ２４が検知され、このことを報知した後、ローラコンベア２２を駆動してタバコ２４を待機位置にセットされたトレー３５まで搬送する。トレー３５はタバコ２４を載せると上昇して空のトレー３５が待機位置にセットされる。スロットマシンを直ちにリセットして使用可能状態にすることができるから、スロットマシンの稼働率向上と係員の負担軽減とが達成される。【選択図】図２
2009195553.tif 000002
【特許請求の範囲】
【請求項１】
遊技機本体に設けた払出口から払い出された遊技媒体を貯留する受皿を備えた遊技機において、
前記受皿の底部を構成する搬送手段と、
遊技が行なわれていない時間である非遊技時間を計測するタイマと、
前記非遊技時間が所定の一定時間に達した時点で前記搬送手段上に放置された放置物の有無を検知する放置物検知手段と、
前記放置物検知手段が前記放置物を検知した場合、前記搬送手段を駆動する制御手段と、
前記搬送手段の下流側に設けられ、前記搬送手段で搬送されてきた前記放置物を収納する放置物収納容器と
を設けたことを特徴とする遊技機。
【請求項２】
前記制御手段は、前記放置物検知手段が前記放置物を検知した場合、前記放置物を撤去する旨の報知を行なうとともに、前記放置物の検知から所定時間の経過後に、前記搬送手段の駆動を開始することを特徴とする請求項１記載の遊技機。
【請求項３】
前記放置物収納容器は、複数個が設けられているとともに、所定の待機位置で前記放置物を収納する毎に移動されることを特徴とする請求項１または２記載の遊技機。
【請求項４】
前記制御手段は、前記搬送手段が駆動中かつ前記放置物検知手段が前記放置物を検知したままの状態が所定時間以上継続した場合、前記放置物が搬送途中で引っ掛かっている旨の報知を行なうことを特徴とする請求項１ないし３いずれか１項記載の遊技機。
【請求項５】
遊技機本体に設けた払出口から払い出された遊技媒体を貯留する受皿と、前記受皿の底部を構成する搬送手段と、遊技が行なわれていない時間である非遊技時間を計測するタイマと、前記非遊技時間が所定の一定時間に達した時点で前記搬送手段上に放置された放置物の有無を検知する放置物検知手段と、前記放置物検知手段が前記放置物を検知した場合、前記搬送手段を駆動する制御手段とを備えた遊技機と、
前記遊技機本体の外に設けられ、前記搬送手段で搬送されてきた前記放置物を収納する放置物収納容器と
からなることを特徴とする遊技システム。
【発明の詳細な説明】
【技術分野】
【０００１】
本発明は、メダルやパチンコ球等の遊技媒体を用いて遊技を行なう遊技機及び遊技システムに関するものである。
【背景技術】
【０００２】
遊技機としては、メダルやパチンコ玉を用いて遊技を行なうスロットマシンやパチンコ機が周知である。例えば、スロットマシンで遊技を行なう遊技者が、トイレや紙幣の両替等の目的で一時的に席を離れるときには、他の遊技者が遊技を行わないように、メダルを貯留する受皿に、例えばタバコやライターなどを放置することが多い。
【０００３】
しかしながら、一部の遊技者によって、スロットマシンを複数台確保する、あるいは、スロットマシンを確保したまま遊技を行うことなく帰宅するなどの掛け持ち遊技や放置行為が行われることがあるため、スロットマシンの稼働率が低下して店の営業利益の損失を招くことがある。
【０００４】
このような掛け持ち遊技や放置行為を防止するために種々の提案がなされている。例えば、特許文献１，２記載の遊技機では、受皿の下部に質量センサを設置し、受皿上にある物の質量が測定される。この質量が所定の範囲内である場合、計測タイマをスタートさせ、スロットマシンに対する何らの操作も行なわれず、所定の時間（例えば１０分）が経過した場合、掛け持ち遊技や放置行為が行われていると判断される。これにより、スロットマシンの表示やランプを消灯する等の処置がなされる。
【０００５】
また、受皿にメダルが残り、かつスタート操作がされない状態が一定時間経過した場合に、遊技者が離れていることを報知する機能を有するスロットマシンが記載されている（特許文献３）。
【特許文献１】特開２００６−１４９６６７号公報
【特許文献２】特開２００６−１７４９１１号公報
【特許文献３】特開２００６−１５８６４８号公報
【発明の開示】
【発明が解決しようとする課題】
【０００６】
上記特許文献１〜３記載のスロットマシンは、掛け持ち遊技や放置行為を判断し、表示やランプを消灯したり報知することはできるが、そのスロットマシンを他の遊技者が実際に使用できる状態にするには、その都度店員がそのスロットマシンの所まで行って受皿に放置されているタバコやライター等を撤去する必要がある。このため、スロットマシンの稼働率を十分に向上させることができず、また店員の負担もほとんど軽減されていないというのが実情である。
【０００７】
本発明は上記に鑑みてなされたもので、掛け持ち遊技や放置行為を有効に防止して稼働率向上に寄与できるとともに店員の負担を軽減できる遊技機及び遊技システムを提供することを目的とする。
【課題を解決するための手段】
【０００８】
上記目的を達成するために、本発明の遊技機は、遊技機本体に設けた払出口から払い出された遊技媒体を貯留する受皿を備えた遊技機において、前記受皿の底部を構成する搬送手段と、遊技が行なわれていない時間である非遊技時間を計測するタイマと、前記非遊技時間が所定の一定時間に達した時点で前記搬送手段上に放置された放置物の有無を検知する放置物検知手段と、前記放置物検知手段が前記放置物を検知した場合、前記搬送手段を駆動する制御手段と、前記搬送手段の下流側に設けられ、前記搬送手段で搬送されてきた前記放置物を収納する放置物収納容器とを設けたことを特徴とする。
【０００９】
前記制御手段は、前記放置物検知手段が前記放置物を検知した場合、前記放置物を撤去する旨の報知を行なうとともに、前記放置物の検知から所定時間の経過後に、前記搬送手段の駆動を開始することを特徴とする。
【００１０】
前記放置物収納容器は、複数個が設けられているとともに、所定の待機位置で前記放置物を収納する毎に移動されることを特徴とする。
【００１１】
前記制御手段は、前記搬送手段が駆動中かつ前記放置物検知手段が前記放置物を検知したままの状態が所定時間以上継続した場合、前記放置物が搬送途中で引っ掛かっている旨の報知を行なうことを特徴とする。
【００１２】
本発明の遊技システムは、遊技機本体に設けた払出口から払い出された遊技媒体を貯留する受皿と、前記受皿の底部を構成する搬送手段と、遊技が行なわれていない時間である非遊技時間を計測するタイマと、前記非遊技時間が所定の一定時間に達した時点で前記搬送手段上に放置された放置物の有無を検知する放置物検知手段と、前記放置物検知手段が前記放置物を検知した場合、前記搬送手段を駆動する制御手段とを備えた遊技機と、前記遊技機本体の外に設けられ、前記搬送手段で搬送されてきた前記放置物を収納する放置物収納容器とからなることを特徴とする。
【発明の効果】
【００１３】
本発明の遊技機及び遊技システムによれば、受皿の底部を搬送手段で構成し、非遊技時間が所定の一定時間に達した時点で搬送手段上に放置された放置物が検知された場合、搬送手段を駆動して放置物を放置物収納容器に搬送するので、掛け持ち遊技や放置行為を有効に防止して稼働率向上に寄与できるとともに店員の負担を軽減できる。
【発明を実施するための最良の形態】
【００１４】
本発明の実施形態であるスロットマシン１０（遊技機）とメダル貸し機１１とからなる遊技システム（図１参照）は、スロットマシン１０にて遊技が行なわれていない時間である非遊技時間が所定の一定時間以上になった場合に、スロットマシン１０の受皿にタバコ，ライター，サイフ，メダル等の放置物の有無を検出し、放置物が検出された場合には、このことを店内の客や係員に報知した後、受皿の底部を構成するローラコンベア（搬送手段）を駆動してタバコをメダル貸し機１１の内部に設けられたトレー（放置物収納容器）に移動する。これにより、受皿に放置物が無くなるから、スロットマシン１０を直ちにリセットして使用可能状態にすることができ、係員の負担軽減とスロットマシン１０の稼働率向上を達成することができる。以下、本発明の実施形態について詳しく説明する。
【００１５】
図１に示すように、スロットマシン１０（遊技機）は、スロットマシン本体１２と前面扉１３とを備えている。スロットマシン本体１２は収納箱１２ａを備えており、この収納箱１２ａ内にリールや制御装置など、遊技を実行するための各種装置を収納してある。スロットマシン本体１２の内部は前面扉１３によって開閉される。
【００１６】
前面扉１３には表示窓１４が設けてあり、この表示窓１４には４個のリール１５ａ〜１５ｄが設けてある。リール１５ａ〜１５ｄの各外周面には複数種類の図柄が配列されており、リール１５ａ〜１５ｄが停止すると表示窓１４に４個の図柄が表示される。全てのリール１５ａ〜１５ｄが停止したときの４個の図柄の組み合わせによって当選役が入賞したか否かが決定される。
【００１７】
前面扉１３には、遊技の開始に先立って一度に複数枚のメダル１６を一括して投入する一括投入口１７、リール１５ａ〜１５ｄの回転を開始させるスタートレバー１８、遊技中に回転しているリール１５ａ〜１５ｄを停止させるストップボタン１９ａ〜１９ｄ、メダル１６を受皿２０に払い出す払出口２１などを設けてある。なお、一括投入口１７の代わりに、メダル１６を１枚ずつ投入するタイプの投入口５７でもよい（図６参照）。
【００１８】
メダル１６を貯留する受皿２０は、前面扉１３の下方部からメダル貸し機１１の下方部まで延長して設けられている。この受皿２０は、底部を構成するローラコンベア２２（搬送手段）と、このローラコンベア２２を取り囲む側壁２０ａ〜２０ｃ及び前面扉１３の前壁面１３ａとからなる。側壁２０ａ〜２０ｃのうち対向する２個の側壁２０ａ，２０ｃの内側には、一対の投光センサ２３ａ，受光センサ２３ｂからなる放置物検知センサ２３（図２参照）が取り付けられている。この放置物検知センサ２３は、投光センサ２３ａから受光センサ２３ｂに向かって射出される光がローラコンベア２２上に置かれた例えばタバコ２４等（放置物）で遮られると、これを検出する。
【００１９】
詳しくは後述するように、スロットマシン１０で遊技が行なわれていない時間である非遊技時間が一定時間以上となった場合、放置物検知センサ２３が作動してタバコ２４等の有無を検出する。そして、タバコ２４等が検出された場合、ローラコンベア２２が駆動され、メダル貸し機１１内の下方部に設けられた放置物回収スペース２５（図２参照）にタバコ２４等を搬送する。
【００２０】
スロットマシン１０の側面に接して設けられたメダル貸し機１１は、投入された紙幣や硬貨からなる貨幣の種類を識別する貨幣識別部２６と、投入された貨幣の金額に応じてメダル１６を払い出すメダル払出し部２７とから構成されている。貨幣識別部２６の前部には、貨幣が投入される貨幣投入口２８と、貨幣の投入によるメダル払出し枚数の表示やメダル貸出しの可否の表示を行う表示パネル２９とが設けられている。
【００２１】
メダル払出し部２７はメダル貯留箱及びホッパーから構成されており、これらがユニット化されている。このメダル払出し部２７は、貨幣識別部２６からのメダル払出し信号を受けて、所定枚数のメダル１６をノズル３０から払い出す。このノズル３０の先端はスロットマシン１０の一括投入口１７の上部に位置しており、メダル払出し部２７から払い出されたメダル１６はノズル３０を通って一括投入口１７に投入される。なお、ノズル３０はフランジ部３１で軸回りに回動自在となっており、メダル１６の払い出しが不要なときには、ノズル３０の先端が上方を向くように、ノズル３０を回動させておくのがよい。
【００２２】
ローラコンベア２２と放置物回収スペース２５との関係を示す図２において、ローラコンベア２２は、周知のように、多数のローラ２２ａからなり、スロットマシン１０の前方では、各ローラ２２ａの軸方向が受皿２０の長手方向に直交して各ローラ２２ａが等間隔に配列され、メダル貸し機１１の前方では、徐々に角度を変えながら放射状に配列されている。
【００２３】
ローラコンベア２２が駆動されると、ローラコンベア２２上に置かれたタバコ２４は、スロットマシン１０の前を図面の左から右へ移動された後、メダル貸し機１１の前で９０°に搬送方向が転換され、メダル貸し機１１の下方部に設けられた回収口１１ａを通ってメダル貸し機１１内の放置物回収スペース２５に搬送される。
【００２４】
放置物回収スペース２５には、ローラコンベア２２によって搬送されてきたタバコ２４等を載せる４個のトレー３５（放置物収納容器）が設けられている。各トレー３５は、一対の支持部材３６の一端部に回動自在に取り付けられ、支持部材３６の他端部はベルト３７の外周面に固定されている。この固定位置は、各トレー３５がベルト３７上で等間隔になるように決められている。
【００２５】
ベルト３７は、縦方向に離間して設置された一対のローラ３８に架け渡されており、一方のローラ３８がトレー移動用モータ３９によって駆動されると、ベルト３７が回転し、各ローラ３８間では、上下方向にトレー３５が移動する。ローラ３８の回転方向は一方向に決められており、回収口１１ａ側ではトレー３５が上昇し、ローラ３８を挟んで反対側ではトレー３５が下降する。
【００２６】
図３に示すように、回収口１１ａの奥に設けられた待機位置では、空のトレー３５が待機している。この待機位置でのトレー３５は、ローラコンベア２２によって搬送されてきたタバコ２４等が載りやすいように、トレー３５の上端の上下方向の位置がローラコンベア２２の最終端ローラ２２ａの上端位置よりもやや下になっている。また、放置物回収スペース２５の待機位置の斜め上方には、タバコ２４等がトレー３５に載ったことを検知する載置検知センサ４０が設置されている。
【００２７】
載置検知センサ４０によってタバコ２４等がトレー３５に載ったことが検知されると、トレー移動用モータ３９が駆動してトレー３５が上昇し、次の空のトレー３５が待機位置にセットされる。タバコ２４等が載ったトレー３５は、回収口１１ａの上方部に設けられた取り出し口１１ｂの前で停止する。取り出し口１１ｂには、鍵付きの蓋１１ｃが開閉自在に取り付けられており、係員が鍵を開けて蓋１１ｃを回動させれば、取り出し口１１ｂを介してタバコ２４等をトレー３５から取り出すことができる。
【００２８】
本発明に係る遊技システムの電気的な構成を示す図４において、スロットマシン１０の内部には、遊技動作に係る制御部とは別に、掛け持ち遊技や放置行為の防止に係る制御部４５（制御手段）が設けられている。スロットマシン１０とメダル貸し機１１とは、ケーブル等で電気的に接続されており、スロットマシン１０内の制御部４５と、放置物回収スペース２５のトレー移動用モータ３９及び載置検知センサ４０とが接続されている。
【００２９】
制御部４５には、上述した放置物検知センサ２３、トレー移動用モータ３９及び載置検知センサ４０の他、何らかの遊技が行なわれている間は制御部４５に遊技信号を入力し続ける遊技信号検出部４６と、制御部４５からのスタート／ストップ信号によって駆動が制御され、遊技が行なわれていない時間である非遊技時間を計測するタイマ回路４７（タイマ）と、予め録音してある音声を流して来場客や係員に報知する報知装置４８と、及びローラコンベア２２を駆動するローラコンベア駆動部４９とが接続されている。
【００３０】
このように構成された遊技システムの作用について図５のフローチャートを参照して説明する。制御部４５は、遊技信号検出部４６から入力される遊技信号を常に監視しており、遊技信号が全く入力されない非遊技状態（ｓｔ１）になった時点からタイマ回路４７を作動させる（ｓｔ２）。
【００３１】
非遊技時間が一定時間α（例えばα＝１０分）以上となった場合（ｓｔ３）、制御部４５は放置物検知センサ２３を作動させる（ｓｔ４）。例えばタバコ２４がローラコンベア２２上に置かれている場合、放置物検知センサ２３から制御部４５に検知信号が入力される（ｓｔ５）。
【００３２】
制御部４５は、報知装置４８を作動させ、タバコ２４がスロットマシン１０の受皿２０に放置されている旨を来場客及び係員に報知する（ｓｔ６）。これと同時に、制御部４５は、タイマ回路４７をリセットしてから作動させる（ｓｔ７）。一定時間β（例えばβ＝５分）が経過した時点で（ｓｔ８）、制御部４５は放置物検知センサ２３からの検知信号が入力されたままであることを確認する（ｓｔ９）。
【００３３】
一定時間βが経過する間に、検知信号が入力されなくなれば、タバコ２４の持ち主がスロットマシン１０の所に戻ってタバコ２４を回収したものとして、再び非遊技状態か否かが検出される（ｓｔ１）。
【００３４】
放置物検知センサ２３からの検知信号が入力されたままの場合（ｓｔ９）、制御部４５はローラコンベア駆動部４９に指令信号を送ってローラコンベア２２の駆動を開始する（ｓｔ１０）とともにタイマ回路４７をリセットしてから作動させる（ｓｔ１１）。
【００３５】
タバコ２４がローラコンベア２２によって正常に搬送されると、一定時間γ（例えばγ＝１分）経過後には（ｓｔ１２）、タバコ２４は回収口１１ａから放置物回収スペース２５に搬入され、放置物検知センサ２３からの検知信号が制御部４５に入力されなくなる（ｓｔ１３）とともに、待機位置にセットされているトレー３５にタバコ２４が載せられたことが載置検知センサ４０によって検知され、この検知信号が制御部４５に入力される（ｓｔ１４）。
【００３６】
一定時間γが経過（ｓｔ１２）しても放置物検知センサ２３からの検知信号が制御部４５に入力されたままの場合（ｓｔ１３）、又は放置物検知センサ２３からの検知信号が制御部４５に入力されなくなったが、載置検知センサ４０による検知信号も制御部４５に入力されない場合（ｓｔ１４）、タバコ２４が搬送途中又はトレー３５に載る直前で引っ掛かったと考えられるから、制御部４５は、報知装置４８を作動させ、タバコ２４が引っ掛かって回収できない旨を係員に報知する（ｓｔ１５）。このような係員のみに報知する場合、制御部４５は報知装置４８を制御して、店内放送はせず、例えば係員が携帯している受信端末のみに報知内容を送信する。なお、この受信端末としては携帯電話等が使用できる。
【００３７】
載置検知センサ４０からの検知信号が制御部４５に入力されると（ｓｔ１４）、制御部４５はトレー移動用モータ３９を駆動する。これにより、タバコ２４を載置したトレー３５は待機位置から取り出し口１１ｂに対峙した位置まで上昇するとともに、次の空のトレー３５が待機位置に移動した後、トレー移動用モータ３９の駆動が停止される（ｓｔ１６）。
【００３８】
制御部４５は、報知装置４８を作動させ、スロットマシン１０がリセット可能な状態である旨を係員に報知する（ｓｔ１７）。係員は、スロットマシン１０の所まで行き、メダル貸し機１１の蓋１１ｃを開けてタバコ２４を回収してから、スロットマシン１０をリセットする。これにより、スロットマシン１０に蓄積されている遊技履歴等が消去されたり、リール１５ａ〜１５ｄの各位置が初期位置にセットされるなどのリセット動作が行なわれ、スロットマシン１０が遊技可能な状態となる。
【００３９】
このように本実施形態によれば、掛け持ち遊技や放置行為によるスロットマシン１０の非遊技時間を短くしてスロットマシン１０の稼働率を向上することができる。また、店員にとっては、放置物を見つけてから時間を計測する、客に警告する等の報知を行なう、管理者等に報告する、放置物を回収してスロットマシン１０をリセットするべきか否かを判断する等の様々な負担を軽減できる。
【００４０】
なお、スロットマシン１０のリセットを係員に依らず、トレー移動による回収動作が終了した時点で、制御部４５が自動的にリセットするようにしてもよい。このように構成すれば、更に店員の負担は軽減される。
【００４１】
また、トレー３５にタバコ２４等の放置物が置かれたことを検知するセンサと液晶パネルとを設け、この液晶パネルに放置物が置かれた時刻を表示するようにしてもよい。このようにすると、係員が放置物をトレー３５から回収する際に放置物がトレー３５に移動された時刻を確認できるから、放置物が受皿２０に放置された時刻を推定したり、放置物がトレー３５に移動されてから係員がスロットマシン１０をリセットするまでにかかる時間を統計的に記録したりするのに役立てることができる。
【００４２】
なお、上記メダル貸し機１１は、ノズル３０を用いて自動的にメダル１６が一括投入口１７に投入されるタイプのものであったが、メダル貸し機の下方に払出口が設けられ、ここに払い出されたメダル１６を遊技者が自らの手でスロットマシン１０の受皿２０に移したり、直接投入口に投入するタイプのものでもよい。この場合の投入口は、多数のメダル１６を一度に投入できる一括投入口１７ではなく、メダル１６を１枚ずつ投入する一般的なタイプの投入口５７（図６参照）でよい。
【００４３】
次に、本発明の遊技機の実施形態を示す図６において、スロットマシン５０（遊技機）は、上記実施形態の放置物回収スペース２５と同様の放置物回収スペース５２をスロットマシン本体５１の内部に設け、放置物をメダル貸し機内に回収する代わりにスロットマシン本体５１内に回収する。なお、上記実施形態と同じ部材等には同じ符号を付し説明を省略する。
【００４４】
放置物回収スペース５２には、メダル貸し機１１に固有の回収口１１ａ，取り出し口１１ｂ及び蓋１１ｃを除き、トレー３５をはじめとする放置物回収スペース２５と同じ全ての構成物が含まれる（トレー移動用モータ３９，載置検知センサ４０も含む）。
【００４５】
スロットマシン本体５１を開閉する前面扉５３の下方部には、前面扉５３の横幅に対応した長さの受皿５４が形成されている。この受皿５４は、底部を構成するベルトコンベア５５，５６（搬送手段）と、このベルトコンベア５５，５６を取り囲む側壁５４ａ〜５４ｃ及び前面扉５３の前壁面５３ａとからなる。
【００４６】
ベルトコンベア５５は、受皿５４の長手方向に延び、前壁面５３ａに対して左側から右側へ向かって、放置物であるメダル１６を搬送する。ベルトコンベア５６は、ベルトコンベア５５と搬送方向が直交し、かつベルトコンベア５５の下流側の端に近接して設けられ、ベルトコンベア５５で搬送されてきたメダル１６を受け取って、前壁面５３ａに対して手前側から奥側へ向かって搬送し、前面扉５３に形成された回収口５３ｂを介して放置物回収スペース５２内に運び込む。
【００４７】
なお、ベルトコンベア５５で搬送されてきたメダル１６が、ベルトコンベア５５，５６の隙間に嵌まり込むことなく、スムーズにベルトコンベア５６に乗り移るために、ベルトコンベア５６の上面は、ベルトコンベア５５の（少なくとも下流側の）上面よりも低い位置で、かつベルトコンベア５５の下流側の端とベルトコンベア５６の脇の縁とが上方から見て重なるように設置するのがよい。
【００４８】
放置物がメダル１６の場合、メダル１６の厚みがタバコ２４等に比べて薄いため、上記ローラコンベア２２では、ローラ２２ａ間にかみこむ懸念があるが、ベルトコンベア５５，５６は、メダル１６でもなんら支障なく搬送することができる。
【００４９】
対向する側壁５４ａ，５４ｃの内側には、一対の投光センサ２３ａ，受光センサ２３ｂからなる放置物検知センサ２３が取り付けられている。なお、前面扉５３の中央右手側には、メダル１６を１枚ずつ投入するタイプの投入口５７が設けられている。
【００５０】
上記実施形態と同様に、非遊技時間が一定時間αを超えると、放置物検知センサ２３が作動して放置物であるメダル１６の有無が確認され、メダル１６が検知された場合には、一定時間β経過後にベルトコンベア５５が駆動される。
【００５１】
メダル１６は、ベルトコンベア５５によって図面の左側から右側へ搬送された後、ベルトコンベア５６に受け渡され、回収口５３ｂを通ってスロットマシン本体５１内の放置物回収スペース５２に搬入される。メダル１６は、放置物回収スペース５２の待機位置にセットされているトレー３５に載せられる。このトレー３５は待機位置から上昇して次の空のトレー３５が待機位置にセットされる。以下、メダル１６が搬送途中で引っ掛かった場合など、全てのシーケンスは上記実施形態と同様であるから説明を省略する。
【００５２】
スロットマシン５０がリセット可能な状態になったことが報知された（図５に示すステップ１７）後、係員がメダル１６を回収するに際しては、前面扉５３の鍵を外して前面扉５３を開ける。放置物回収スペース５２が露呈されるから、トレー３５からメダル１６を取り除いた後、スロットマシン５０をリセットする。
【００５３】
以上説明した実施形態では、タバコやメダル等が放置されたスロットマシンにはクレジットがないものとしたが、クレジットがある場合、タバコ等の放置物を検知してからローラコンベアやベルトコンベアを駆動するまでの時間を延長するのがよい。
【００５４】
上記実施形態では、放置物を検知してから一定時間βの猶予時間をとってからローラコンベアやベルトコンベアを駆動するようにしたが、本発明はこれに限定されることなく、例えば放置物を検知した場合、猶予時間をとることなく、直ちにローラコンベアやベルトコンベアを駆動するようにしてもよい。
【００５５】
上記実施形態では、トレーの数を４個としたが、本発明はこのような数に限定されないのは勿論である。また、放置物収納容器をトレーとし、１個ずつをそれぞれ独立したものとしたが、本発明はこれに限定されることなく、例えば細長い容器の内側を複数個の仕切りで区分けし、この容器の長手方向を上下方向に移動するようにして、各区分けされたスペースに放置物を収納するようにしてもよい。
【００５６】
上記実施形態では、タバコ等が受皿に所定の一定時間以上放置された場合、これを放置物とみなしてローラコンベアやベルトコンベアが自動的に駆動してタバコ等が回収されるようにしたが、このような自動回収機能をオン／オフするスイッチを設け、状況に応じて自動回収機能をオン／オフするようにしてもよい。
【００５７】
上記実施形態では、遊技機の例としてスロットマシンを挙げて説明したが、本発明はこれに限定されることなく、例えばパチンコ機でもよい。
【図面の簡単な説明】
【００５８】
【図１】本発明の遊技システムを構成するスロットマシンとメダル貸し機との外観を示す斜視図である。
【図２】ローラコンベアと放置物回収スペースとの関係を示す説明図である。
【図３】ローラコンベアとトレーとの関係を示す説明図である。
【図４】本実施形態の電気的な構成を示すブロック図である。
【図５】本実施形態の主要なシーケンスを示すフローチャートである。
【図６】本発明の遊技機の実施形態の外観を示す斜視図である。
【符号の説明】
【００５９】
１０，５０  スロットマシン（遊技機）
１１  メダル貸し機
２０，５４  受皿
２２  ローラコンベア（搬送手段）
２３  放置物検知センサ（放置物検知手段）
２５，５２  放置物回収スペース
３５  トレー（放置物収納容器）
４５  制御部（制御手段）
４７  タイマ回路（タイマ）
４８  報知装置
５５，５６  ベルトコンベア（搬送手段）
【図１】
2009195553.tif 000003
【図２】
2009195553.tif 000004
【図３】
2009195553.tif 000005
【図４】
2009195553.tif 000006
【図５】
2009195553.tif 000007
【図６】
2009195553.tif 000008